(57)【要約】【課題】施工性と美観性を向上させる温風暖房機を提供する。【解決手段】壁面に取り付けられる温風暖房機において、壁面に固定した取り付け板２５に本体引っ掛け部４１を複数個設け、本体１１の裏面上部に本体引っ掛け部４１のいずれかに引っ掛けるための逆Ｌ字部４２を複数個形成したことにより、取り付け板２５と本体１１との位置関係をフレキシブルに設定することができる。これにより、施工性および美観を向上させるという効果のある温風暖房機を提供できる。【選択図】図６
2004325060.tif 000002
【特許請求の範囲】
【請求項１】
壁面に取り付けられる温風暖房機において、壁面に固定した取り付け板に本体引っ掛け部を複数個設け、循環ファンおよび熱交換器を有する本体の裏面上部に前記本体引っ掛け部のいずれかに引っ掛けるための逆Ｌ字部を複数個形成したことを特徴とする温風暖房機。
【請求項２】
取り付け板の下部に本体側に伸びる逆Ｌ字形状突起を形成し、本体の下部にねじ穴または引っ掛け部を形成して前記逆Ｌ字形状突起にねじ止めまたは引っ掛けることを特徴とする請求項１に記載の温風暖房機。
【請求項３】
本体引っ掛け部の横方向の幅を本体の逆Ｌ字部の横幅より大きくし、本体の下部に幅方向に長穴のねじ穴を形成したことを特徴とする請求項１に記載の温風暖房機。
【請求項４】
ねじ穴を奥行き方向に長穴としたことを特徴とする請求項１に記載の温風暖房機。
【請求項５】
本体引っ掛け部または本体の逆Ｌ字部と壁面との間の隙間を調整する手段を有することを特徴とする請求項１に記載の温風暖房機。
【請求項６】
本体の下部に下板を嵌め込み、ねじを遮蔽することを特徴とする請求項２〜４のいずれかに記載の温風暖房機。
【請求項７】
取り付け板に換気穴に連通する丸穴を形成し、ダクトアダプタの先端部を前記丸穴周囲部で押さえることを特徴とする請求項１に記載の温風暖房機。
【発明の詳細な説明】
【技術分野】
【０００１】
本発明は、浴室などの室内に温風を噴き出して室内の暖房を行う温風暖房機に関する。
【背景技術】
【０００２】
従来、この種の温風暖房機は、熱源機から温水を供給してその熱により加温された温風を浴室内に吹き出すものであり、浴室内から空気を吸い込んで熱交換器により温水と空気との熱交換を行い、加温された空気を循環ファンなどにより浴室内に送風するように構成されたものが知られている（例えば、特許文献１参）。
【０００３】
そして、特許文献１には、熱交換器などの暖房機構部が収容された本体ケースとフロントカバーを備え、浴室の壁面に固定された取付板の係止爪を本体ケースの背面に形成された差込穴に差し込んで本体ケースを浴室の壁面に固定し、熱交換器に接続された接続チューブを本体ケースの背面に形成された引出穴および浴室の壁面に形成された貫通穴から外部に引き出す構成の温風暖房機が記載されている。本体ケースには、機外に引き出された接続チューブを壁面の換気穴に導くチューブ収容凹部が形成されており、本体ケースの底面にはチューブ収容凹部を開放する切欠部が形成されている。
【特許文献１】特開２００２−３４０３５３号公報
【発明の開示】
【発明が解決しようとする課題】
【０００４】
この種の従来の温風暖房機においては、壁面に取付けられた取付け板と本体の位置が一義的に決まるため、取付け板を取付けた後は、取付け位置が悪い場合でも本体を幅方向に移動させることができず、壁面との奥行き方向の隙間が本体の左右上下でアンバランスな場合に微調整できず、美観を損なう場合があるという課題があった。
【０００５】
本発明は、このような従来の課題を解決するものであり、取付け板と本体との位置関係をフレキシブル化することにより、施工性を向上させ、美観を向上させる温風暖房機を提供するものである。
【課題を解決するための手段】
【０００６】
本発明の温風暖房機は上記目的を達成するために、壁面に取り付けられる温風暖房機において、壁面に固定した取り付け板に本体引っ掛け部を複数個設け、循環ファンおよび熱交換器を有する本体の裏面上部に前記本体引っ掛け部のいずれかに引っ掛けるための逆Ｌ字部を複数個形成したものである。
【０００７】
また、本発明の温風暖房機は上記目的を達成するために、取り付け板の下部に本体側に伸びる逆Ｌ字形状突起を形成し、本体の下部にねじ穴または引っ掛け部を形成して前記逆Ｌ字形状突起にねじ止めまたは引っ掛けるものである。
【０００８】
また、本発明の温風暖房機は上記目的を達成するために、本体引っ掛け部の横方向の幅を本体の逆Ｌ字部の横幅より大きくし、本体の下部に幅方向に長穴のねじ穴を形成したものである。
【０００９】
また、本発明の温風暖房機は上記目的を達成するために、ねじ穴を奥行き方向に長穴としたものである。
【００１０】
また、本発明の温風暖房機は上記目的を達成するために、本体引っ掛け部または本体の逆Ｌ字部と壁面との間の隙間を調整する手段を有するものである。
【００１１】
また、本発明の温風暖房機は上記目的を達成するために、本体の下部に下板を嵌め込み、ねじを遮蔽するものである。
【００１２】
また、本発明の温風暖房機は上記目的を達成するために、取り付け板に換気穴に連通する丸穴を形成し、ダクトアダプタの先端部を前記丸穴周囲部で押さえるものである。
【００１３】
これらの手段により、取付け板と本体との位置関係をフレキシブル化し、商品の施工性および美観性を向上させることができる。
【発明の効果】
【００１４】
本発明によれば、取付け板と本体との位置関係をフレキシブル化することにより、施工性および美観を向上させるという効果のある温風暖房機を提供できる。
【発明を実施するための最良の形態】
【００１５】
本発明の請求項１記載の発明は、壁面に固定した取り付け板に本体引っ掛け部を複数個設け、循環ファンおよび熱交換器を有する本体の裏面上部に前記本体引っ掛け部のいずれかに引っ掛けるための逆Ｌ字部を複数個形成したので、本体の取付け板への取り付け位置を幅方向に自在に調整することができるという作用を有する。
【００１６】
また、本発明の請求項２記載の発明は、請求項１に記載の温風暖房機において、取り付け板の下部に本体側に伸びる逆Ｌ字形状突起を形成し、本体の下部にねじ穴または引っ掛け部を形成して前記逆Ｌ字形状突起にねじ止めまたは引っ掛けるので、施工性を向上させながら本体の下方が前方に突出することを防止することができるという作用を有する。
【００１７】
また、本発明の請求項３記載の発明は、請求項１に記載の温風暖房機において、本体引っ掛け部の横方向の幅を本体の逆Ｌ字部の横幅より大きくし、本体の下部に幅方向に長穴のねじ穴を形成したので、取り付け板を壁面に固定した後でも本体を左右に移動させて浴室内での最適位置に位置調整をすることができるという作用を有する。
【００１８】
また、本発明の請求項４記載の発明は、請求項１に記載の温風暖房機において、ねじ穴を奥行き方向に長穴としたので、壁面と本体との下部隙間を調整し、設置状態での美観を向上することができるという作用を有する。
【００１９】
また、本発明の請求項５記載の発明は、請求項１に記載の温風暖房機において、本体引っ掛け部または本体の逆Ｌ字部と壁面との間の隙間を調整する手段を有するので、壁面と本体との上部隙間を調整することができるという作用を有する。
【００２０】
また、本発明の請求項６記載の発明は、請求項２〜４のいずれかに記載の温風暖房機において、本体の下部に下板を嵌め込み、ねじを遮蔽するので、吹出口の下部の流れをスムーズにしながら、外部に剥き出しになったねじ類を隠すことができるという作用を有する。
【００２１】
また、本発明の請求項７記載の発明は、請求項１に記載の温風暖房機において、取り付け板に換気穴に連通する丸穴を形成し、ダクトアダプタの先端部を前記丸穴周囲部で押さえるので、本体と壁面との隙間による換気風路がダクトアダプタによって塞がれることがなく、また、壁面内への浴室からの湿気漏れが生じないという作用を有する。
【００２２】
以下、本発明の実施の形態について、浴室に設置する場合を例に図面とともに詳細に説明する。
【００２３】
図１は本発明による温風暖房機の全体構成を示す斜視図、図２は図１の温風暖房機を浴室に取り付けた状態を示す破断断面図である。図１および図２において、温風暖房機１０は浴室内に設置される室内機としての本体１１、浴室の屋外に設置される室外機としての換気ユニット１２、および本体１１と換気ユニット１２を壁内で連結するダクト１３から構成される。なお、換気ユニット１２およびダクト１３を省略して本体１１を単体で暖房機とすることも可能である。
【００２４】
本体１１の上部には上方に開口した主吸込口１４が設けられ、下部には下方に開口した吹出口１５が設けられる。吹出口１５にステッピングモータで稼動させるオートルーバ、オートウイングを設けると吹き出し方向の上下の調整、左右の調整が容易となる。
【００２５】
本体１１の吹出口１５の直上の位置でフラットパネル１６との間には副吸込口１８が形成されている。副吸込口１８は熱交換器部分を通過する風速を平均化することができるので、熱交換器の熱交換効率が向上し、風量を低減することができるため、運転音を低減することができる。また、主吸込み口１４からの吸込み風量と副吸込口１８からの吸込み風量のバランスは、主吸込み口１４からの吸込み風量９〜６に対して副吸込口１８からの吸込み風量１〜４が適当である。なお、吸込口１８は吹出し口の直上としたが、側面や前面のフラットパネル１６の中央付近に配置しても効果はかわらない。
【００２６】
コイル２１は図２に示すようにその面方向が略鉛直になるように配置され、コイル２２は面方向が天井面に対して略水平位置になるように配置され、コイル２３は面方向が吹出口１５からの温風吹出し方向に対して略直交する方向に配置され、循環ファン１９を囲むようにコイル固定具３１（後述の図５参照）により固定される。したがって、コイル２１、２２、２３は伝熱部分（アルミフィン）の面積を最大としながらコンパクト化することができ、これにより能力アップと共に低騒音化が図れる。コイル２１の前面は本体１１のフラットパネル１６で覆われる。フラットパネル１６はコイル２１の面方向が略垂直方向に設置されているので、フラットパネル１６とすることができる。本体１１の前面をフラットパネル構造とすることにより、デザイン性が優れるとともに、パネル前面に埃の堆積がないため、掃除性が向上する。
【００２７】
また、フラットパネル１６には吸込口が全く無いのが最良だが、多少（全体吸い込み風量の約１〜４割）前面からの吸い込みがあってもその効果に差異はない。なお、コイル２１の面方向が略鉛直方向に設置されていない場合でも、フラットパネル１６とすることができる。この場合は、奥行寸法が大きくなりコンパクト化に影響があるが、ショートサーキット防止等の効果には影響なく、同様な効果が得られる。
【００２８】
コイル２１、２２、２３は循環ファン１９の回りに細かく配置するほど、面風速の低減が図れ低騒音化できる。また、コイル２１、２２、２３は完全に分割されていなくても、微小な面積のフィンで連結されていてもかまわない。
【００２９】
フラットパネル１６の前面と上面の内側にはフィルタを装架したフィルタ固定枠１７が差し込まれ、副吸込口１８の開口を下方に向けることにより、フィルタ固定枠１７を副吸込口１８から出し入れすることができる。副吸込口１８からフィルタ固定枠１７を引き出した様子を図３および図４に示す。フィルタ固定枠１７の下方には断面Ｌ字型の固定具１７２が設けられており、固定具１７２の裏側に設けられた凸部１７３をフラットパネル１６の穴部または凹部（図示せず）にてこの原理により係合して固定する。したがって、フィルタの脱着を容易にすることができる。
【００３０】
フィルタ固定枠１７は下端部に引き出しのための取っ手１７１が形成されている。フィルタ固定枠１７を取り外す場合は、取っ手１７１を上方にやや上げると凸部１７３がフラットパネル１６の凹部からはずれるので、その後下方に引くことによりフィルタ固定枠１７を副吸込口１８から引き出すことができる。フィルタ固定枠１７を取り付ける場合には、フィルタ固定枠１７の上端部を副吸込口１８に挿入し、取っ手１７１を上方に上げるとダボがフラットパネル１６の穴部に嵌合して固定される。このように、フィルタ部材の出し入れが簡単になるので、フィルタの掃除やフィルタ交換などのメンテナンスが容易になる。また、取っ手は前方に凸状をしているので、フィルタ固定枠１７の強度を大きくし、かつ、空気流のショートサーキットや乱流が起こりにくく、運転音を低減させることができる。
【００３１】
フィルタ固定枠１７はコイル２１と接触しているとフィルタの出し入れがスムーズに行われなかったり、フィルタをいためたりすることがある。そこで、フィルタ固定枠１７とコイル２１が対向した位置にフィルタ具２０を設ける。これによりフィルタ固定枠１７の出し入れ時に、フィルタ固定枠１７とコイル２１が接触することを防止することができる。
【００３２】
図５は本体１１の内部構造を示す正面図である。本体１１はほぼ中央にコイル２１、２２、２３が配置されており、中央上方に主吸込口１４、中央下方に吹出口１５および副吸込口１８が形成されている。コイル２１、２２、２３の裏側には循環モータ２６により回転する循環ファン１９が配置されている。
【００３３】
本体左右側部の一方側には循環モータ２６および熱交換用の温水または冷媒を流すための入口管２８および出口管２９、ならびに、入口管２８および出口管２９に接続した配管接続部２７が配置されている。入口管２８および出口管２９は、循環モータ２６を挟むように上下に分離して配置することにより、コンパクト化しながら施工性を向上させることができる。配管接続部２７には循環ファン１９の周囲を温水が循環するように本体１１の全幅に渡って配管３０が接続されている。入口管２８および出口管２９には、温水を作って循環させるボイラーの行き管および還り管と接続された樹脂管や銅管（図示せず）が接続される。本体左右側部の他方側には、本体１１の駆動電気系である電装部３６が配置され、ボイラーと電気的に接続されている。吹出口１５のオートルーバ用ステッピングモータや循環モータ２６などのリード線３２はコイル２１、２３の下部と吹出口１５の間でリード線固定具３３に固定されて電装部３６に接続されコンパクト化を図ることができる。リード線固定具３３はリード線が吹出口１５にはみ出さないようにして信頼性を高め、また、本体１１のメンテナンス時にリード線を本体１１からはずしやすいようにするために使用される。
【００３４】
このような構成により、温風発生のための主吸込口１４、吹出口１５および副吸込口１８および熱交換器、循環ファン１９が本体左右方向のほぼ中央に配置され、両端に温水または冷媒供給のための配管接続部２７と電装部３６がそれぞれ配置されているので、室内機としての本体１１は左右対称にすることができ，デザイン性の向上が図れると共に、浴室の片隅に設置した場合でも側壁との接近による性能劣化や温度分布の悪化を防止することができる。
【００３５】
つぎに、暖房および乾燥運転動作を説明する。本体１１の前面に設けられた受信部でユーザの操作によりワイヤレスリモコンから発信された赤外線信号を受信して、その運転信号により、前記ボイラーへ温水循環命令が流れ、ボイラーが運転して作られた温水が配管を通って、開となった本体１１内の熱動弁を通ってコイル２１、２２、２３による熱交換器に流れる。
【００３６】
暖房運転時は、浴室内の空気は循環ファン１９により上方から主吸込部１４に吸い込まれて本体１１内に配された熱交換器で熱交換され、吹出口１５から下方に温風が吹出されて浴室内を循環し、浴室内をくまなく暖房する。このように、空気を本体１１の上方から吸い込んで下方から吹出させることにより、吹出す温風はショートサーキットせずに浴室床面に届き、浴室の壁面および天井面に沿って吸込口に循環するので、暖房時の温度分布が浴室内全体で均一になる。また、前面に吸込口がないので、前方における運転音を低減することができる。
【００３７】
乾燥運転時は、本体１１は暖房運転時と同じ動作により、吹出口１５から温風を吹き出すが、同時に屋外に設置された換気ユニット１２内の換気モータおよびファンが回転し、本体１１と壁面との隙間から浴室内の湿気を吸い込み、ダクト１３を通って、換気ユニット１２の排気口から排湿される。温風は衣類や浴室の床面、壁面に当たって、湿気が排出されることにより衣類や浴室内の乾燥ができる。乾燥運転時も温風が衣類や浴室床面、壁面に効率よくあたり、湿度を屋外に排出するため、衣類、浴室の乾燥時間の短縮や乾燥むらの防止が図れる。
【００３８】
つぎに、本体１１を浴室の壁面に設置する構成を説明する。図２に戻り、本体１１は浴室の壁面に設置される。この場合、浴室の壁面に取り付け板２５を取り付け、取り付け板２５の上部に形成した本体引っ掛け部４１に本体１１の逆Ｌ字部４２を引っ掛けて固定する。この様子を図６に示す。取り付け板２５の本体引っ掛け部４１は取り付け板２５の上部に複数個設けられており、本体１１の裏面上部にはこれらの本体引っ掛け部４１のいずれかに引っ掛けるための逆Ｌ字部４２が複数個形成されている。本体引っ掛け部４１および逆Ｌ字部４２は各々複数個設けられているので、これらのうちのいずれかを引っ掛けるようにすることにより本体１１の幅方向、すなわち、取り付け板２５に対する左右の位置関係を自由に調整することができる。
【００３９】
一方、取り付け板２５の下部には本体１１側に伸びる逆Ｌ字形状突起４３を形成し、本体１１の下部にねじ穴または引っ掛け部を形成して逆Ｌ字形状突起４３にねじ止めまたは引っ掛けることにより固定する。これにより施工性を向上させながら、本体１１の下部が配管などに押されて前方に浮き上がることを防止することができる。
【００４０】
なお、取り付け板２５の本体引っ掛け部４１の横方向の幅を本体１１の逆Ｌ字部４２の横幅より大きくし、本体１１の下部におけるねじ穴を幅方向に長穴とすることにより、取り付け板２５を壁面に固定した後でも本体１１の固定位置を左右に移動させて、取り付け位置を浴室内で最適位置になるように調整することが可能になる。
【００４１】
また、本体１１の下部におけるねじ穴を奥行き方向に長穴とすることにより、壁面と本体１１との隙間を調整して設置状態での美観を向上させることができる。なお、壁面と本体１１との隙間を調整する手段として、取り付け板２５の本体引っ掛け部４１または本体１１の逆Ｌ字部４２と壁面との間にゴムなどの弾性部材を挟んだり、ねじの締め付けの調整や引っ掛け位置の調整などにより調整することも可能である。この場合は、壁面と本体１１との下部隙間だけでなく、上部隙間も調整することができる。
【００４２】
本体１１の下部にねじ穴を形成して、本体１１を取り付け板２５に固定する場合、本体１１の下部のねじが剥き出しになることがある。また、フラットパネル１６の固定ねじが外部に剥き出しになることもある。この場合は、図２に示すように本体１１に下板４５を嵌め込むことによりこれらのねじ類を隠すと共に、下板４５で吹出口１５の下部における温風の流れをスムーズにすることができる。
【００４３】
前述したように、本体１１は図２に示すように取り付け板２５により壁面に設置される。ところで、浴室内の換気は、図２および図６の矢印に示すように、本体１１と壁面との間隙から吸い込まれる換気風と主吸込口１４および副吸込口１８より吸い込まれる換気風が本体１１内の換気風路を通ってダクトアダプタ２４、ダクト１３を通過し、屋外の換気ユニット１２から排気されることにより行われる。このような換気方法によれば本体１１と壁面の隙間を小さくしても、主吸込口１４および副吸込口１８より換気風を吸込むことができるので、必要な換気風量を確保できる。また、本体１１と壁面の隙間も換気風路として利用することができる。そこで、本体１１とダクトアダプタ２４およびダクト１３の連結は図７のようにして行われる。
【００４４】
図６で説明したように、本体１１は壁面に対して取り付け板２５を利用して取り付けられる。このとき、壁面の浴室側にダクトアダプタ２４を設置して壁内の換気穴内に外壁側からダクト１３を押し込むと、ダクトアダプタ２４が押されて本体１１側に伸びてくることがある。ダクトアダプタ２４が本体１１側に伸びてくると、本体１１と壁面との隙間の換気風路が塞がれたり、壁面の換気穴とダクトアダプタ２４との間に隙間が生じてそこに湿気漏れが生じて壁面を傷めることがある。そこで、取り付け板２５に壁面の換気穴に連通する丸穴５１を形成し、その周囲に本体１１側に突出させて壁面側に対して凹部４６を形成し、ダクトアダプタ２４の先端部４７を凹部４６内で押さえるようにする。これにより、外壁側からダクト１３を押し込んでも、ダクトアダプタ２４の先端は取り付け板２５の丸穴５１の周辺部で押さえられ、本体１１側に伸びてくることはない。したがって、本体１１と壁面との隙間による換気風路がダクトアダプタ２４で塞がれることがなく、また、壁面内への浴室からの湿気漏れが生じない。なお、取り付け板２５には複数の穴４８が形成されており、この穴４８を利用して取り付け板２５を壁面に固定する。このとき、固定する穴４８の位置を選択することにより、丸穴５１とダクトアダプタ２４のダクト穴の位置関係を調整することができる。
【００４５】
ところで、壁面の換気穴は浴室に既設の状態で設けられていることがしばしばある。そして、既設の換気穴は規格があるわけではなく、通常種々の大きさの丸穴や角穴などが任意に形成されている。この換気穴が角穴であったり、ダクトアダプタ２４の径より大きい丸穴である場合は、図８のようにして本体１１とダクトアダプタ２４、ダクト１３を連結する。すなわち、角穴５０の形成された壁面に、ダクトアダプタ２４およびダクト１３の径に対応した丸穴５１を形成した取り付け板２５を設置し、ダクトアダプタ２４を取り付け板２５の丸穴５１内に挿通してねじ止めなどにより固定する。つぎに、このダクトアダプタ２４にダクト１３を連結し、外壁の角穴にダクト１３の径に対応した穴を有する換気ユニット用取り付け板６０を設置し、この換気ユニット用取り付け板６０の穴にダクト１３を挿通して換気ユニット１２に連結する。これにより、角穴５０は浴室に対しては取り付け板２５の丸穴５１以外はふさがれるので、壁内への浴室内の湿気漏れが防止される。また、浴室内に外部から雨水や虫が侵入することを防止できる。他方、外壁側では、角穴５０は換気ユニット１２用の取り付け板に形成されたダクト１３挿通される穴以外はふさがれるので、外部からの雨水や虫の侵入を防止することができる。
【００４６】
図９は本体１１の本体を浴室内に設置した斜視図だが、通常本体は、浴槽側の床面より約１．９ｍの位置に設置し、洗い場中央付近に吹き出しの温風が当たるように吹き出し口の角度をオートルーバ等により調整して暖房を行うと温風が床面にとどき、床付近の温度を効果的に上昇することができる。また、いったん洗い場まで到達した暖気は床面や低い位置の空気を暖めて徐々に温度を下げながら上方に移動し、ショートサーキットすることなく本体上部吸込み口から熱交換されるサイクルを形成するので、頭寒足熱の理想的な温度分布を実現するとともにショートサーキットしているものと比較して、吸込み温度が低くなるため、熱交換器との温度差を大きくとることができるため、熱交換能力に有利に作用し、加熱性能を大幅に向上することができる。
【００４７】
また、本体設置位置は浴槽上としたが、洗い場の例えば入り口のドアまたは、ドアが設けられている壁と隣接する壁の上部に設置すると、本体吹き出し口と洗い場床面までの距離が近くなり、床面到達風速も早くなるのでさらに床付近の温度を上昇することができる。
【００４８】
なお、以上の説明では、浴室暖房機や浴室換気乾燥機を例に説明したが、本発明の技術は浴室以外の室内用暖房器や乾燥機として使用することもできる。
【００４９】
また、実施例では空気との熱交換をおこなう熱交換器の熱源としてガス、石油等のボイラーで温める温水を流す例に説明したが、Ｒ２２、Ｒ４１０Ａ、ＣＯ２などの冷媒などを流すような蒸気圧縮型の熱源機と接続すれば、電気インフラのみで利用可能であり、ＰＴＣヒータやシーズヒータ、輻射ヒータなどにより熱交換すれば、熱源機との接続が不要で省施工となるなど、その他の熱源を利用することにより利用できる生活シーンが広がる。
【産業上の利用可能性】
【００５０】
本発明の温風暖房機は、本体の外観におけるデザイン性や小形化を必要とする商品への要望に応えるものであり、浴室、洗面所、トイレなどのサニタリーゾーンや、事務所、居室などの室内用の暖房機や乾燥機の用途にも適用することができる。
【図面の簡単な説明】
【００５１】
【図１】本発明による温風暖房機の全体構成を示す斜視図
【図２】図１の温風暖房機を浴室に取り付けた状態を示す破断断面図
【図３】本発明による温風暖房機におけるフィルタ固定枠を引き出した状態を示す斜視図
【図４】本発明による温風暖房機におけるフィルタ固定枠を引き出した状態の要部の斜視図
【図５】本発明における温風暖房機の本体の内部構造を示す正面図
【図６】本発明における温風暖房機の本体を壁面に取り付ける場合の要部の斜視図
【図７】本発明における温風暖房機の本体とダクトアダプタおよびダクトの連結合法を説明する斜視図
【図８】本発明における温風暖房機を角穴換気穴に取り付ける場合の施工方法を説明する斜視図
【図９】本発明における温風暖房機を浴室内に設置した状態を示す斜視図
【符号の説明】
【００５２】
１０    温風暖房機
１１    本体
１２    換気ユニット
１３    ダクト
１４    主吸込口
１５    吹出口
１６    フラットパネル
１７    フィルタ固定枠
１８    副吸込口
１９    循環ファン
２０    フィルタ具
２２    コイル
２３    コイル
２４    ダクトアダプタ
２５    取り付け板
２６    循環モータ
２７    配管接続部
２８    入口管
２９    出口管
３０    配管
３１    コイル固定具
３２    リード線
３３    リード線固定具
３６    電装部
４１    本体引っ掛け部
４２    逆Ｌ字部
４３    逆Ｌ字形状突起
４５    下板
４６    凹部
４７    先端部
４８    穴
５０    角穴
５１    丸穴
６０    換気ユニット用取り付け板
１７１  取っ手
１７２  固定具
１７３  凸部
【図１】
2004325060.tif 000003
【図２】
2004325060.tif 000004
【図３】
2004325060.tif 000005
【図４】
2004325060.tif 000006
【図５】
2004325060.tif 000007
【図６】
2004325060.tif 000008
【図７】
2004325060.tif 000009
【図８】
2004325060.tif 000010
【図９】
2004325060.tif 000011